(57)【要約】【課題】  容易に注出口を開口することができるとともに、製造時に面倒な作業を要さず、撓みなどの変形を抑制する紙容器を得る。【解決手段】  注出口３５となる一方の妻壁形成パネル１８、妻壁形成パネル１８の上部に有する内側トップシールパネル２２、妻壁形成パネル１８の上端に連設された胴部パネル４、胴部パネル４の下端に連設された内側底部パネル３３をその面の中央位置で縦方向に二分割し、分割した妻壁形成パネル１８，１８、内側トップシールパネル２２，２２、胴部パネル４，４、内側底部パネル３３，３３の分割片３６の分割縁に連設されたそれぞれの縦方向シールパネル５，５を外側に折り、内面同士が対向するように重ね加熱シールして四角の筒状胴部６を形成した。【選択図】    図１
2016166025.tif 000002
【特許請求の範囲】
【請求項１】
表裏面に熱可塑性樹脂を積層した板紙素材からなり、４つの胴部パネルを備え、縦方向シールパネルによって四角の筒状胴部が形成され、前記胴部パネルの上端に、頂部横折線を介して上部に外側トップシールパネルを有し互いに対向する一対の切妻屋根形成パネルと、頂部横折線を介して上部に内側トップシールパネルを有し互いに対向する一対の妻壁形成パネルが連設されて、前記一対の切妻屋根形成パネルの間に前記一対の妻壁形成パネルが折り込まれて、前記各トップシールパネル同士が所定の位置で加熱シールされて密封されることによって頂部が形成され、前記胴部パネルの下端に、底部横折線を介して互いに対向する一対の外側底部パネルと、底部横折線を介して互いに対向する一対の内側底部パネルとが連設されて、前記一対の内側底部パネルの外側に前記一対の外側底部パネルが折り畳まれて加熱シールされて密封されることによって底部が形成され、開封時、加熱シールされた前記妻壁形成パネルを引き出して注出口とする切妻屋根型の紙容器において、
前記一対の切妻屋根形成パネルの間から引き出されて注出口となる一方の妻壁形成パネル、該妻壁形成パネルの上部に有する内側トップシールパネル、該妻壁形成パネルの上端に連設された胴部パネル、該胴部パネルの下端に連設された内側底部パネルが、その面の中央位置で縦方向に二分割され、
分割された妻壁形成パネル、内側トップシールパネル、胴部パネル、内側底部パネルの分割片の分割縁にそれぞれ前記縦方向シールパネルが連設され、それぞれの縦方向シールパネルが外側に折られて内面同士が対向するように重ねられ、加熱シールされて前記四角の筒状胴部が形成されていることを特徴とする紙容器。
【請求項２】
前記加熱シールされた前記縦方向シールパネルのシール片は折られて、前記胴部パネル及び前記内側底部パネルと加熱シールされていることを特徴とする請求項１に記載の紙容器。
【発明の詳細な説明】
【技術分野】
【０００１】
本発明は、牛乳やジュース等の液体飲料を収容する切妻屋根型頂部を有する紙容器に関する。
【背景技術】
【０００２】
従来、牛乳カートンに代表される飲料用の紙容器として、表裏面に熱可塑性樹脂を積層した板紙素材からなり、４つの胴部パネルを備え、縦方向シールパネルによって四角の筒状胴部が形成され、胴部パネルの上端に、頂部横折線を介して上部に外側トップシールパネルを有し互いに対向する一対の切妻屋根形成パネルと、頂部横折線を介して上部に内側トップシールパネルを有し互いに対向する一対の妻壁形成パネルが連設され、一対の切妻屋根形成パネルの間に一対の妻壁形成パネルが折り込まれて、各トップシールパネル同士が所定の位置で加熱シールされて密封されることによって頂部が形成される切妻屋根型の紙容器（ゲーブルトップ型）が広く使用されている。
【０００３】
このような切妻屋根型の紙容器の注出口の開封は、注出口となる妻壁形成パネル側における内側トップシールパネルの加熱シールされている対向面同士を剥がし、一対の切妻屋根形成パネルの間に折り込まれている妻壁形成パネルを引き出して注出口を開口させるようにして行っているが、妻壁形成パネルを引き出す際、注出口となる妻壁形成パネルの内側トップシールパネルを摘んで開けなければならず、このような開け方は衛生上好ましいものではない。
【０００４】
そこで、容易に注出口を開口するものとして、注出口となる妻壁形成パネルの外側にＶ字状に折曲する引きしろを設け、注出口を開封する際は、この引きしろを摘まんで引っ張ることにより、妻壁形成パネルが引き出されて注出口が開口する紙容器が提案されている（例えば、特許文献１参照。）。
【先行技術文献】
【特許文献】
【０００５】
【特許文献１】実開平３−１２３８２３号公報
【発明の概要】
【発明が解決しようとする課題】
【０００６】
しかしながら、特許文献１に記載の紙容器では、一対の切妻屋根形成パネルの間に一対の妻壁形成パネルを折り込む際、Ｖ字状の引きしろ部分を外側に折り曲げながら妻壁形成パネルを切妻屋根形成パネルの間に折り込まなければならず、製造時に面倒な作業を要するといった問題がある。
また、特許文献１に記載の紙容器においては、妻壁形成パネルをＶ字状に折り曲げて引きしろを形成するが、妻壁形成パネルをＶ字状に折り曲げると、妻壁形成パネルの上側が詰まって短くなるため、該妻壁形成パネルの下側にある頂部横折線の両端部分が内側に引っ張られ、頂部横折線の中央部分に撓みが生じ、注出口となる側の頂部横折線部分が弧状に膨らんでしまうといった問題がある。
【０００７】
本発明の目的は、容易に注出口を開口することができるとともに、製造時に面倒な作業を要さず、撓みなどの変形を抑制する紙容器を提供することにある。
【課題を解決するための手段】
【０００８】
上記の目的を達成するために、請求項１に記載の発明は、表裏面に熱可塑性樹脂を積層した板紙素材からなり、４つの胴部パネルを備え、縦方向シールパネルによって四角の筒状胴部が形成され、前記胴部パネルの上端に、頂部横折線を介して上部に外側トップシールパネルを有し互いに対向する一対の切妻屋根形成パネルと、頂部横折線を介して上部に内側トップシールパネルを有し互いに対向する一対の妻壁形成パネルが連設されて、前記一対の切妻屋根形成パネルの間に前記一対の妻壁形成パネルが折り込まれて、前記各トップシールパネル同士が所定の位置で加熱シールされて密封されることによって頂部が形成され、前記胴部パネルの下端に、底部横折線を介して互いに対向する一対の外側底部パネルと、底部横折線を介して互いに対向する一対の内側底部パネルとが連設されて、前記一対の内側底部パネルの外側に前記一対の外側底部パネルが折り畳まれて加熱シールされて密封されることによって底部が形成され、開封時、加熱シールされた前記妻壁形成パネルを引き出して注出口とする切妻屋根型の紙容器において、前記一対の切妻屋根形成パネルの間から引き出されて注出口となる一方の妻壁形成パネル、該妻壁形成パネルの上部に有する内側トップシールパネル、該妻壁形成パネルの上端に連設された胴部パネル、該胴部パネルの下端に連設された内側底部パネルが、その面の中央位置で縦方向に二分割され、分割された妻壁形成パネル、内側トップシールパネル、胴部パネル、内側底部パネルの分割片の分割縁にそれぞれ前記縦方向シールパネルが連設され、それぞれの縦方向シールパネルが外側に折られて内面同士が対向するように重ねられ、加熱シールされて前記四角の筒状胴部が形成されていることを特徴とする。
【０００９】
請求項２に記載の発明は、請求項１に記載の、前記加熱シールされた前記縦方向シールパネルのシール片は折られて、前記胴部パネル及び前記内側底部パネルと加熱シールされていることを特徴とする。
【発明の効果】
【００１０】
請求項１に記載の紙容器によれば、一対の切妻屋根形成パネルの間から引き出されて注出口となる一方の妻壁形成パネル、該妻壁形成パネルの上部に有する内側トップシールパネル、該妻壁形成パネルの上端に連設された胴部パネル、該胴部パネルの下端に連設された内側底部パネルが、その面の中央位置で縦方向に二分割され、分割された妻壁形成パネル、内側トップシールパネル、胴部パネル、内側底部パネルの分割片の分割縁にそれぞれ縦方向シールパネルが連設され、それぞれの縦方向シールパネルが外側に折られて内面同士が対向するように重ねられ、加熱シールされて四角の筒状胴部が形成されているので、注出口となる妻壁形成パネルには、縦方向シールパネルが重ねられて加熱シールされたシール片が形成されており、開封時、このシール片を摘まんで引っ張ることにより、妻壁形成パネルが引き出されて注出口を容易に開口することができる。
また、開封する際に摘まむシール片は、分割片の分割縁にそれぞれ連設された縦方向シールパネルを外側に折り、内面同士が対向するように重ねて加熱シールすることにより形成されるため、製造時に面倒な作業を要することなく、注出口が容易に開口できる紙容器を簡易な方法で製造することができる。
さらに、分割した縦方向シールパネルを重ねて加熱シールしたシール片により、シール片が形成される注出口となる側の妻壁形成パネル、内側トップシールパネル、胴部パネル、内側底部パネルの剛性を向上させることができ、紙容器の撓みなどの変形を抑制することができる。
【００１１】
請求項２に記載の紙容器によれば、加熱シールされた縦方向シールパネルのシール片は折られて、胴部パネル及び内側底部パネルと加熱シールされているので、シール片が胴部パネルから突出せず、紙容器の保管や搬送等に支障を来すおそれはない。
【図面の簡単な説明】
【００１２】
【図１】本発明に係る紙容器の実施の形態の一例を示す斜視図である。
【図２】図１に示す紙容器の注出口を開口した状態を示す斜視図である。
【図３】図１に示す紙容器の組み立て加工前のカートンブランクスを示す展開図である。
【図４】開封した紙容器を掴んだ状態を示す参考図である。
【発明を実施するための形態】
【００１３】
以下、本発明に係る紙容器の実施の形態の一例を、図面を参照して詳細に説明する。
図１は本例の紙容器を示す斜視図、図２は図１に示す紙容器の注出口を開口した状態を示す斜視図、図３は図１に示す紙容器の組み立て加工前のカートンブランクスを示す展開図、図４は開封した紙容器を掴んだ状態を示す参考図である。
【００１４】
本例の紙容器は、図３に示される展開構造を有するカートンブランクスによって組み立てられる。
本例の紙容器は、表裏面に熱可塑性樹脂を積層した板紙素材からなり、４つの胴部パネル１，２，３，４を備え、縦方向シールパネル５によって四角の筒状胴部６が形成される。
【００１５】
胴部パネル１，３の上端には、頂部横折線７，８を介して互いに対向する一対の切妻屋根形成パネル９，１０が連設されている。この一対の切妻屋根形成パネル９，１０の上部には、シール横折線１１，１２を介して外側トップシールパネル１３，１４が連設されている。
【００１６】
また、筒状胴部６の他の対向する胴部パネル２，４の上端には、頂部横折線１５，１６
を介して互いに対向する一対の妻壁形成パネル１７，１８が連設されている。この一対の妻壁形成パネル１７，１８の上部には、シール横折線１９，２０を介して内側トップシールパネル２１，２２が連設されている。
【００１７】
そして、一対の妻壁形成パネル１７，１８には、胴部パネル２，４との境界の頂部横折線１５，１６の両端から内側トップシールパネル２１，２２との境界のシール横折線１９，２０に繋がる折込線２３，２４が設けられており、一対の妻壁形成パネル１７，１８が折込線２３，２４で折られて一対の切妻屋根形成パネル９，１０の間に折り込まれ、外側トップシールパネル１３，１４及び内側トップシールパネル２１，２２が所定の位置で加熱されシールされて密封されることによって切妻屋根型の頂部２５が形成されている。
【００１８】
胴部パネル１，３の下端には、底部横折線２６，２７を介して互いに対向する一対の外側底部パネル２８，２９が連設され、筒状胴部６の他の対向する胴部パネル２，４の下端には、底部横折線３０，３１を介して互いに対向する一対の内側底部パネル３２，３３とが連設され、一対の内側底部パネル３２，３３の外側に一対の外側底部パネル２８，２９が折り畳まれて加熱シールされて密封されることによって底部３４が形成されている。
【００１９】
本発明では、一対の切妻屋根形成パネル９，１０の間から引き出されて注出口３５となる一方の妻壁形成パネル１８、妻壁形成パネル１８とシール横折れ線２０を介して連設された内側トップシールパネル２２、妻壁形成パネル１８と頂部横折線１６を介して連設された胴部パネル４、胴部パネル４と底部横折線３１を介して連設された内側底部パネル３３が、その面の中央位置で縦方向に二分割されている。
【００２０】
分割された妻壁形成パネル１８，１８、内側トップシールパネル２２，２２、胴部パネル４，４、内側底部パネル３３，３３の分割片３６，３６の分割縁にそれぞれシール縦折線３７，３７を介して縦方向シールパネル５，５が連設されている。それぞれの縦方向シールパネル５，５は、外側に折られて内面同士が対向するように重ねられ、加熱シールされて四角の筒状胴部６が形成される。
【００２１】
加熱シールされた縦方向シールパネル５，５のシール片３８は、折られて胴部パネル４及び内側底部パネル３３に接着するように加熱シールされている。なお、シール片３８は開封時に摘まむことができるように、シール片３８と妻壁形成パネル１８、内側トップシールパネル２２は加熱シールされない。本例では、分割された縦方向シールパネル５，５の上端部が斜めにカットされている。
【００２２】
また、本例では、胴部パネル４，４及び縦方向シールパネル５，５には、注出口３５を大きく開口する開口補助折線３９，３９が形成されている。本例では、開口補助折線３９，３９は、頂部横折線１６，１６を底辺とする逆台形状となっているが、これに限定されず、頂部横折線１６，１６を底辺とする逆三角形状であってもよい。
【００２３】
上記のように構成された紙容器によれば、注出口３５の開封に際し、注出口３５となる妻壁形成パネル１８，１８側における内側トップシールパネル２２，２２の加熱シールされている対向面同士を剥がし一対の切妻屋根形成パネル９，１０の間に折り込まれている妻壁形成パネル１８，１８とシール片３８を露出させる。このとき、この露出したシール片３８を摘んで引っ張ることにより、妻壁形成パネル１８，１８が引き出されて注出口３５を容易に開口することができる。
【００２４】
また、本例では、加熱シールされた縦方向シールパネル５，５のシール片３８は、折られて胴部パネル４及び内側底部パネル３３に接着するように加熱シールされているので、シール片３８は、胴部パネル４から突出せず、紙容器の保管や搬送等に支障を来すおそれはない。
【００２５】
また、本例では、分割された縦方向シールパネル５，５の上端部が斜めにカットされているので、対向する内側トップシールパネル２２，２２を重ねて加熱シールする際に、内側トップシールパネル２２，２２の間に挟まるシール片３８が僅かですみ、内側トップシールパネル２２，２２同士の接着面が多くなるため、必要なシール強度を確保することができる。
【００２６】
さらに、本例では、胴部パネル４，４及び縦方向シールパネル５，５には、注出口３５を大きく開口する開口補助折線３９，３９が形成されているので、図４に示すように、妻壁形成パネル１８，１８を引き出して注出口３５を開封させた後、妻壁形成パネル１８，１８と胴部パネル４，４の境界の両側角部に頂部横折線１６，１６の両側から挟むように力を加えると、胴部パネル４，４が開口補助折線３９，３９で谷折れして注出口３５が開口する。このようにして開口した注出口３５は、僅かに縦方向に長い菱形状を呈し、収容物が注ぎやすくなる。
【符号の説明】
【００２７】
１，２，３，４  胴部パネル
５  縦方向シールパネル
６  筒状胴部
７，８，頂部横折線
９，１０  切妻屋根形成パネル
１１，１２  シール横折線
１３，１４  外側トップシールパネル
１５，１６  頂部横折線
１７，１８  妻壁形成パネル
１９，２０  シール横折線
２１，２２  内側トップシールパネル
２３，２４  折込線
２５  頂部
２６，２７  底部横折線
２８，２９  外側底部パネル
３０，３１  底部横折線
３２，３３  内側底部パネル
３４  底部
３５  注出口
３６  分割片
３７  シール縦折線
３８  シール片
３９  開口補助折線
【図１】
2016166025.tif 000003
【図２】
2016166025.tif 000004
【図３】
2016166025.tif 000005
【図４】
2016166025.tif 000006